【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
可変データレートを有する無線通信リンク上における送信のために、２つ又はそれ以上のデータ発信元から入力データを受け取る段階であって、１つ又はそれ以上の前記データ発信元が連続した同期トリビュタリを有している、段階と、
前記データ発信元に対してそれぞれの相対的な優先順位を割り当てる段階と、
前記通信リンクの現在利用可能なデータレートを決定する段階と、
合成データストリームを形成するために前記データ発信元から受け取った前記入力データを多重化する段階と、
前記合成データストリームのデータレートを前記通信リンクの前記現在利用可能なデータレートに対して一致させるために、前記それぞれの相対的な優先順位に基づいて、前記合成データストリームから前記同期トリビュタリ中の少なくとも１つのものの前記入力データを選択的に除外する段階と、
前記通信リンク上において前記合成データストリームを送信する段階と、
を有していることを特徴とする通信のための方法。
【請求項２】
それぞれの前記同期トリビュタリにおける前記入力データは時分割多重（ＴＤＭ）を用いて多重化される請求項１に記載の方法。
【請求項３】
前記通信リンクはポイントツーポイントリンクを有している請求項１に記載の方法。
【請求項４】
前記現在利用可能なデータレートを決定する段階は、
前記通信リンクの反対側において前記送信された合成データストリームを受信する段階と、
前記受信した合成データストリームの受信品質を評価する段階と、
前記評価された受信品質に応答して前記現在利用可能なデータレートを決定する段階と、
を有している請求項１に記載の方法。
【請求項５】
前記受信品質を評価する段階は、前記受信した合成データストリームにおける受信信号レベル（ＲＳＬ）、信号対雑音比（ＳＮＲ）、信号対干渉雑音比（ＳＩＮＲ）、平均二乗誤差（ＭＳＥ）、ビット誤り率（ＢＥＲ）及びフレーム誤り率（ＦＥＲ）からなるメトリックのグループから選択された少なくとも１つのメトリックを含む受信品質メトリックを評価する段階を有している請求項４に記載の方法。
【請求項６】
前記合成データストリームを送信する段階は、前方誤り訂正（ＦＥＣ）符号を用いて前記合成データストリームを符合化する段階を有し、
前記送信された合成データストリームを受信する段階は、ＦＥＣ復号器を用いて前記ＦＥＣ符号を復号する段階を有し、
前記受信品質を評価する段階は、前記ＦＥＣ復号器により提供されるメトリックを用いて前記受信品質を評価する段階を有している請求項４に記載の方法。
【請求項７】
前記送信された合成データストリームを受信する段階は、適応型係数を有する適応型イコライザを用いて前記受信した合成データストリームにフィルタをかける段階を有し、
前記受信品質のメトリックは、前記適応型係数の値に基づいている請求項４に記載の方法。
【請求項８】
前記合成データストリームを送信する段階は、
変調スキーム及び前方誤り訂正（ＦＥＣ）符号それぞれを定める事前に定められた適応型符号変調（ＡＣＭ）プロファイルの組から、前記現在利用可能なデータレートに対応するＡＣＭプロファイルを選択する段階と、
前記選択されたＡＣＭプロファイルによって定義されるＦＥＣ符号を用いて前記合成データストリームを符合化する段階と、
前記選択されたＡＣＭプロファイルによって定義される変調スキームを用いて前記符合化されたデータストリームを変調する段階と、
を有している請求項１に記載の方法。
【請求項９】
前記相対的な優先順位を割り当てる段階は、前記ＡＣＭプロファイルを選択する際に、それぞれのＡＣＭプロファイルの中で前記データ発信元の中のどれを、前記合成データストリームから除外するべきかを特定する段階を有し、
前記入力データを多重化する段階は、前記合成データストリームから、前記選択されたＡＣＭプロファイルの中で特定された前記データ発信元の前記入力データを除外する段階を有している請求項８に記載の方法。
【請求項１０】
前記入力データを受け取る段階は、前記同期トリビュタリの中の１つをカプセル化する一連のデータパケットを受け取る段階を有し、
前記合成データストリームから前記同期トリビュタリの中の前記１つのものの前記入力データを除外する段階は、前記一連の中の前記データパケットを廃棄する段階を有している請求項１に記載の方法。
【請求項１１】
１つ又はそれ以上の前記データ発信元はパケット発信元を有し、
前記入力データを受け取る段階は、前記パケット発信元から前記通信リンク上における送信のためのデータパケットを受け取る段階を有し、
前記相対的な優先順位を割り当てる段階は、前記同期トリビュタリに対して及び前記パケットに対して前記優先順位を一緒に割り当てる段階を有し、
前記入力データを多重化する段階は、前記データパケットのフローを選択的に規制しつつ、前記同期トリビュタリ及び前記パケット発信元より受け取った前記データパケットから受け取った、前記入力データを一緒に多重化する段階を有している請求項１に記載の方法。
【請求項１２】
前記パケットに対して前記優先順位を割り当てる段階は、それぞれの前記パケットに対してそれぞれの優先順位の値を個々に割り当てる段階を有している請求項１１に記載の方法。
【請求項１３】
前記パケットに対して前記優先順位を割り当てる段階は、前記パケット発信元のそれぞれに対して、それぞれの優先順位の値を割り当てる段階を有している請求項１１に記載の方法。
【請求項１４】
前記相対的な優先順位を割り当てる段階は、前記同期トリビュタリの属性に基づいてそれぞれの同期トリビュタリにおける数で示されるスコアを計算する段階を有し、
前記合成データストリームから前記入力データを選択的に除外する段階は、前記合成データストリームの前記データレートが前記通信リンクの前記現在利用可能なデータレートを超えないまで、最小のスコアを有する前記同期トリビュタリを順次除外する段階を有している請求項１に記載の方法。
【請求項１５】
前記通信リンクの反対側において受信機によって前記送信された合成データストリームを受信する段階と、
前記受信した合成データストリームを逆多重化して、前記入力データを再構成する段階と、
を有している請求項１に記載の方法。
【請求項１６】
前記合成データストリームを送信する段階は、前記受信機が前記受信した合成データストリームを逆多重化できるように、前記受信機に対して前記合成データストリームの中に前記データ発信元の中のどれが多重化されているのかを示す段階を有している請求項１５に記載の方法。
【請求項１７】
前記同期トリビュタリの中の少なくとも１つのものの前記入力データは、階層的構造のＴＤＭデータを有している請求項１に記載の方法。
【請求項１８】
前記通信リンクは、マイクロ波及びミリメートル波リンクの中の１つを有している請求項１に記載の方法。
【請求項１９】
前記無線通信リンクは、ポイントツーマルチポイント形態において動作される複数の無線通信リンクの中の１つである請求項１に記載の方法。
【請求項２０】
可変データレートを有する無線通信リンク上における送信のために、２つ又はそれ以上のデータ発信元から入力データを受け取る段階であって、１つ又はそれ以上の前記データ発信元が連続した同期トリビュタリを有している、段階と、
前記データ発信元に対してそれぞれの相対的な優先順位を割り当てる段階と、
前記通信リンクの現在利用可能なデータレートを決定する段階と、
合成データストリームを形成するために前記データ発信元から受け取った前記入力データを多重化する段階と、
前記合成データストリームのデータレートを前記通信リンクの前記現在利用可能なデータレートに対して一致させるために、前記それぞれの相対的な優先順位に基づいて、前記合成データストリームから前記データ発信元の中の少なくとも１つのものの前記入力データを選択的に除外する段階と、
前記通信リンク上において前記合成データストリームを送信する段階と、
を有していることを特徴とする通信のための方法。
【請求項２１】
合成データストリームを形成するために、２つ又はそれ以上のデータ発信元から受け取った入力データを多重化するべく構成されたコンバイナであって、１つ又はそれ以上の前記データ発信元が連続した同期トリビュタリを有している、コンバイナと、
通信リンクの現在利用可能なデータレートにおいて、前記通信リンク上において前記合成データストリームを送信するべく構成された、可変レート送信機と、
前記合成データストリームのデータレートを前記通信リンクの前記現在利用可能なデータレートに対して一致させるために、前記現在利用可能なデータレートを決定し、且つ、前記データ発信元に割り当てられた相対的な優先順位に基づいて前記合成データストリームから前記同期トリビュタリの中の少なくとも１つのものの前記入力データを前記コンバイナに選択的に除外させるべく構成されたプロセッサと、
を有していることを特徴とする通信装置。
【請求項２２】
合成データストリームを形成するために、２つ又はそれ以上のデータ発信元から受け取った入力データを多重化するべく構成されたコンバイナであって、１つ又はそれ以上の前記データ発信元が連続した同期トリビュタリを有している、コンバイナと、
通信リンクの現在利用可能なデータレートにおいて、前記通信リンク上において前記合成データストリームを送信するべく構成された、可変レート送信機と、
前記合成データストリームのデータレートを前記通信リンクの前記現在利用可能なデータレートに対して一致させるために、前記現在利用可能なデータレートを決定し、且つ、前記データ発信元に割り当てられた相対的な優先順位に基づいて前記合成データストリームから前記データ発信元の中の少なくとも１つものの前記入力データを前記コンバイナに選択的に除外させるべく構成されたプロセッサと、
を有していることを特徴とする通信装置。
【請求項２３】
通信リンクの現在利用可能なデータレートに対して合成データストリームのデータレートを一致させ、且つ、無線チャンネル上において前記合成データストリームを送信するために、２つ又はそれ以上のデータ発信元から入力データを受け取り、且つ、前記合成データストリームを形成するために前記データ発信元から受け取った前記入力データを多重化するべく構成された送信システムであって、１つ又はそれ以上の前記データ発信元が連続した同期トリビュタリを有しており、更に、前記それぞれのデータ発信元に割り当てられた相対的な優先順位に基づいて前記合成データストリームから前記同期トリビュタリの中の少なくとも１つのものの前記入力データを選択的に除外する、送信システムと、
前記送信された合成データストリームを受信し、且つ、前記入力データを再構成するために前記合成データストリームを逆多重化するべく構成された受信システムと、
を有していることを特徴とする可変レート通信リンク。
【請求項２４】
それぞれの前記同期トリビュタリにおける前記入力データは時分割多重（ＴＤＭ）を用いて多重化される請求項２３に記載のリンク。